(57)【要約】【課題】既存階段構造を削り加工する必要はなく、しかも工事終了直後からの通行を可能とする既存階段構造の蹴込み部の施工方法を提供すること。【解決手段】本発明は、踏面部１２及び蹴込み部１４を備えた既存階段構造１０の蹴込み部１４を施工する方法である。まず、蹴込み部１４に、その幅方向にて所定間隔をおいて複数の取付部材３０を、プラグ４２及びボルト４４を用いて仮止めする。次に、複数の取付部材３０を支持ガイドとして、踏面部１２とは異色の複数の化粧蹴込み板２０を蹴込み部１４の表面にて支持する。その後、複数の取付部材３０を本止めして、蹴込み部１４の表面と複数の取付部材３０との間にて複数の化粧蹴込み板２０を挟み込んで固定する。化粧蹴込み板２０と蹴込み部１４とを接着しても良い。【選択図】        図１
2004225239.tif 000002
【特許請求の範囲】
【請求項１】
踏面部及び蹴込み部を備えた既存階段構造の前記蹴込み部を施工する方法であって、
前記蹴込み部に、その幅方向にて所定間隔をおいて複数の取付部材を仮止めする工程と、
前記複数の取付部材を支持ガイドとして、前記踏面部とは異色の複数の化粧蹴込み板を前記蹴込み部の表面側にて支持する工程と、
前記複数の取付部材を本止めして、前記蹴込み部の表面と前記複数の取付部材との間にて前記複数の化粧蹴込み板を挟み込んで固定する工程と、
を有することを特徴とする既存階段構造の蹴込み部の施工方法。
【請求項２】
請求項１において、
前記複数の取付部材を本止めする前に、前記複数の化粧蹴込み板の背面または前記蹴込み部の表面に、接着剤が塗布されることを特徴とする既存階段構造の蹴込み部の施工方法。
【請求項３】
請求項１または２において、
前記蹴込み部の最下部に位置する前記踏面部上と、前記複数の化粧蹴込み板の下端との間に、目地材を配置する工程をさらに有することを特徴とする既存階段構造の蹴込み部の施工方法。
【請求項４】
請求項１乃至３のいずれかにおいて、
前記複数の取付部材の各々は、前記蹴込み部に固定される被固定部と、前記蹴込み部の表面と間隔をおいて対向配置される対向部とを一体的に備え、
前記複数の化粧蹴込み板は、前記被固定部の仮止め時に、その一部が前記蹴込み部の表面と前記対向部との間に落とし込んで配置され、前記被固定部を本止めすることで、前記蹴込み部の表面と前記対向部との間で挟み込んで固定されることを特徴とする既存階段構造の蹴込み部の施工方法。
【請求項５】
請求項４において、
前記複数の化粧蹴込み板の各々は、上端部の側面が隣接する他の化粧蹴込み板の上端部の側面と接するように配置され、前記上端部より下方の側面は、前記取付部材の前記被固定部と干渉しないように切り欠かれていることを特徴とする階段の蹴込み部の施工方法。
【請求項６】
請求項５において、
前記複数の化粧蹴込み板の各々には、前記上端部を除く両側面にスリットが形成され、前記複数の化粧蹴込み板の取り付け時には、前記取付部材の前記対向部が前記スリットに挿入されることを特徴とする既存階段構造の蹴込み部の施工方法。
【請求項７】
請求項１乃至６のいずれかにおいて、
前記複数の取付部材の各々は、前記化粧蹴込み板の化粧表面よりも埋没して配置され、その埋没された前記複数の取付部材の各々を目隠し部材により被覆する工程をさらに有することを特徴とする既存階段構造の蹴込み部の施工方法。
【請求項８】
請求項５において、
前記化粧蹴込み板の背面から前記スリットに至る厚さが、上端から下端に向かうに従い薄く形成され、前記化粧蹴込み板の落とし込みの初期の負荷抵抗を小さくしたことを特徴とする既存階段構造の蹴込み部の施工方法。
【請求項９】
請求項４乃至８のいずれかにおいて、
前記複数の取付部材の各々の前記被固定部と、前記蹴込み部との間に、前記複数の取付部材の各々を前記蹴込み部よりも前方に移動付勢するバネ材を配置する工程をさらに有することを特徴とする既存階段構造の蹴込み部の施工方法。
【発明の詳細な説明】
【０００１】
【発明の属する技術分野】
本発明は、特に駅や広場などに設けられた既存階段構造の蹴込み部の施工方法に関する。
【０００２】
【従来の技術】
高齢者、身体障害者等が円滑に利用できる特定建築物の建築の促進に関する法律（ハードビル法）の第３条を受けて告示された判断基準によれば、その基本的考えとして、階段は、高齢者などにとって安全かつ円滑な通行を配慮した構造とすることが掲げられている。特に、上記判断基準では、踏面の色をけあげの色と明度の差の大きいものとすること等により、階段の各段を識別しやすいものとすることが謳われている。
【０００３】
例えば駅構内の階段の中には、階段全体がコンクリートにて打設されたものがあり、踏面と段鼻と蹴込み面とが同色であるものがある。これらの既存階段構造は、ハートビル法に基づく判断基準に合致した構造に改造する必要がある。
【０００４】
階段の各段を識別し易くするには、踏面と蹴込み面とをそれぞれ色の異なる例えば花崗岩にてＬ字状に一体化した化粧板（特許文献１，特許文献２）を用いる施工方法がある。
【０００５】
この化粧板を用いて既存階段構造を改造しようとすれば、既存階段構造の踏面と蹴込み面とを一部削り落とし、コンクリートスラブ等を用いて既存階段上に上述の化粧板を敷設固定する必要がある。個々の化粧板は比較的高価であり、しかも改造作業は大掛かりとなるので、駅構内の全ての階段を改造するには、膨大な費用と時間がかかってしまう。
【０００６】
また、駅構内の階段改造作業は、乗客がいない深夜から早朝にかけて終了する必要があり、中途半端な終了状況では通行の支障となってしまう。また、打設されたコンクリートまたはモルタル等が乾かない状況下で階段を通行されると、階段が変形、破損して重大な人身事故を招く虞がある。
【０００７】
なお、本出願人は事前にデータベース上で論理式（Ｅ０４Ｆ１１／００）ラ（蹴込板）にて先行技術調査をしたが、上述の問題を解決するものはなく、上述の特許文献１，２に加えて、関連する先行技術として特許文献３〜７を得た。
【０００８】
【特許文献１】
特許第１７６８６０１号公報
【特許文献２】
実用新案登録第３０５４２１３号公報
【特許文献３】
特開平６−１７３４０３号公報
【特許文献４】
特開昭６１−１１７３５４号公報
【特許文献５】
特開２０００−３２００９９号公報
【特許文献６】
実用新案登録第３０２９１２９号公報
【特許文献７】
実開昭５７−１８５８２８号公報
【０００９】
【発明が解決しようとする課題】
特許文献３は、段鼻付きのコンクリート製蹴込み板を型枠として用い、この蹴込み板と手摺用型枠とで囲まれた領域にコンクリートを打設して、踏面を形成するものである。この方法は、階段を新たに構築するものであり、踏面と蹴込み面とを有する既存階段の改造には利用不可能である。
【００１０】
特許文献４〜７もまた新たに階段を構築するものであり、化粧蹴込み板の取り付け構造に相違が見られるが、化粧蹴込み板の取り付け後に踏面をモルタル、コンクリート等で形成するものである。よって、この方法を既存階段構造の改造に転用したとしても、既存構造の少なくとも踏面を削り加工する必要があり、しかも打設によって踏面を新たに形成するので、工事終了直後からの通行は不可能である。
【００１１】
そこで、本発明の目的とするところは、既存階段構造を削り加工する必要はなく、しかも工事終了直後からの通行を可能とする既存階段構造の蹴込み部の施工方法を提供することにある。
【００１２】
【課題を解決するための手段】
本発明は、踏面部及び蹴込み部を備えた既存階段構造の前記蹴込み部を施工する方法であって、前記蹴込み部に、その幅方向にて所定間隔をおいて複数の取付部材を仮止めする工程と、前記複数の取付部材を支持ガイドとして、前記踏面部とは異色の複数の化粧蹴込み板を前記蹴込み部の表面側にて支持する工程と、前記複数の取付部材を本止めして、前記蹴込み部の表面と前記複数の取付部材との間にて前記複数の化粧蹴込み板を挟み込んで固定する工程とを有することを特徴とする。
【００１３】
本発明方法によれば、既存階段構造の踏面とは異なる色の化粧蹴込み板を配置できるので、階段の段鼻を含む蹴込み面（化粧蹴込み板）が、既存の踏面と異色となり、各段を識別し易い階段に改造できる。この改造にあたって、既存階段構造を削り加工する必要は必ずしもなく、しかも踏面を再構築するためのコンクリート、モルタルの打設を要しない。よって、ハートビル法に基づく階段の判断基準に合致させるための施工作業を、比較的短時間でかつ熟練を要せずに行うことができ、施工後直ちに階段を通行しても支障は生じない。
【００１４】
本発明方法では、複数の取付部材を本止めする前に、複数の化粧蹴込み板の背面または前記蹴込み部の表面に接着剤が塗布されると良い。化粧蹴込み板を配置する前に蹴込み部の表面に接着剤を塗布しても良いし、それに代えてまたはそれに併せて、接着剤を塗布した蹴込み板を取付部材に支持させても良い。あるいは、取付部材に支持された化粧蹴込み板の背面と蹴込み部の表面との間に、接着剤を流し込んでも良い。化粧蹴込み板は、取付部材の締結力と接着剤とによって、より強固に固定されることになる。しかも、仮に接着剤の乾燥前に乗客が階段を通行しても、取付部材の締結力によって化粧蹴込み板が離脱されることを防止できる。
【００１５】
本発明方法では、蹴込み部の最下部に位置する踏面部上と、複数の化粧蹴込み板の下端との間に、全幅に亘って目地材を配置する工程をさらに有することができる。この目地材は、化粧蹴込み板及び取付部材の寸法精度、取付精度に起因してばらつく下端の隙間を目隠しするためのものである。また、複数の化粧蹴込み板の下端が目地材によりシールされるので、乾燥前の接着剤が外部に漏れることも防止できる。
【００１６】
本発明方法では、複数の取付部材の各々は、蹴込み部に固定される被固定部と、蹴込み部の表面と間隔をおいて対向配置される対向部とを一体的に備えることができる。この場合、複数の化粧蹴込み板は、被固定部の仮止め時に、その一部が蹴込み部の表面と前記対向部との間に落とし込んで配置される。その後、被固定部を本止めすることで、化粧蹴込み板は蹴込み部の表面と対向部との間で挟み込んで固定される。
【００１７】
本発明方法では、複数の化粧蹴込み板の各々は、上端部の側面が隣接する他の化粧蹴込み板の上端部の側面と接するように配置され、その上端部より下方の側面は、取付部材の前記被固定部と干渉しないように切り欠くことができる。こうすると、複数の化粧蹴込み板の上端間にほとんど隙間はなくなり、段鼻が実質的に連続するので歩行上の安全が確保される。また、段鼻によって取付部材は上方から目隠しされるので、見栄えも向上する。
【００１８】
本発明方法では、複数の化粧蹴込み板の各々の両側面（上端部の両側面を除く）にスリットを形成することができる。この場合、複数の化粧蹴込み板の取り付け時には、取付部材の対向部がスリットに挿入されることになる。こうすると、複数の化粧蹴込み板の各々にて露出する化粧表面が、取付部材よりも突出して配置される。こうすると、取付部材は化粧蹴込み板よりも埋没するので、蹴込み面に突起がなくなる。
【００１９】
取付部材が化粧蹴込み板の化粧表面よりも埋没する場合には、取付部材を目隠し部材により被覆する工程をさらに設けることができる。こうすると、取付部材が露出しないので、蹴込み面の見栄えが向上する。
【００２０】
本発明方法では、化粧蹴込み板の背面からスリットに至る厚さを、上端から下端に向かうに従い薄く形成することができる。こうすると、化粧蹴込み板の落とし込みの初期の負荷抵抗を小さくすることができる。この場合、取付部材の被固定部から対向部までの高さを、上端から下端に向かうに従い低く形成して、挿入完了後に化粧蹴込み板が取付部材内のスペースにフィットするようにしてもよい。
【００２１】
本発明方法では、複数の取付部材の各々の被固定部と、蹴込み部との間に、複数の取付部材の各々を蹴込み部よりも前方に移動付勢するバネ材を配置する工程をさらに設けることができる。こうすると、複数の取付部材の仮止め状態では、複数の取付部材の各々がバネ材によって蹴込み部よりも前方に移動付勢され、挿入用の隙間を多く確保できるので、化粧蹴込み板の挿入作業を円滑に行うことができる。
【００２２】
本発明方法に用いる複数の化粧蹴込み板の各々は、既存階段構造の踏面と異色である材料であり、階段としての機能を担保できる強度を有するものであればよい。特に上述の通り段部や切り欠きを設けるには、化粧蹴込み板としては、石材でもよいが、石材は加工が必要なことから、型通りに成形可能でかつ比較的安価なタイル材を用いても良い。
【００２３】
【発明の実施の形態】
以下、本発明の一実施形態について、図面を参照して説明する。
【００２４】
＜第１の実施形態＞
（既存階段構造及び改造後の階段構造）
図１は本実施形態の既存階段構造の改造後の横断面図であり、図２は図１の階段構造の正面図である。図１及び図２において、既存階段構造１０は、各段が踏面部１２と蹴込み部１４とを有し、乗客が通行可能に階段状に形成されている。本実施形態は、この既存階段構造１０の蹴込み部１４を改造するものである。
【００２５】
既存階段構造１０の蹴込み部１４の表面を覆って、複数の化粧蹴込み板２０が配置される。蹴込み部１４の表面には、その幅方向にて所定間隔毎に、複数の取付部材３０が固定されている。複数の取付部材３０の各々は、蹴込み部１４の表面に穿孔した下孔４０に埋め込まれたプラグ４２と、それに螺合するボルト４４とにより、蹴込み部１４の表面に固定される。
【００２６】
複数の化粧蹴込み板２０の各々は、その両端が、取付部材３０と蹴込み部１４との間に挟み込んで固定される。化粧蹴込み板２０の背面と蹴込み部１４の表面との間に接着剤を塗布しても良い。蹴込み部１４の最下部に位置する踏面部１２上と、化粧蹴込み板２０の下端２０Ｃとの間には、全幅に亘って目地材５０が配置される。
【００２７】
（取付部材）
取付部材３０は、図３（Ａ）（Ｂ）に示すように、例えば金属プレートを曲げ加工することで形成される。取付部材３０は、蹴込み部１４に固定される被固定部３２と、この被固定部３２の両側より垂直に立ち上がる２つの連結部３４と、この２つの連結部３４の上端を外側に水平に屈曲させた２つの対向部３６とを一体的に備える。
【００２８】
被固定部３２には、ボルト４４のための孔３２Ａが形成されている。この孔３２Ａを利用して取付部材３０が蹴込み部１４に取り付けられると、対向部３６は、蹴込み部１４の表面と間隔をおいて対向配置される。
【００２９】
被固定部３２より立ち上がる連結部３４の高さＨは、取付部材３０の上端３０Ａから下端３０Ｂに向かうに従い低くなっている。
【００３０】
（化粧蹴込み板）
化粧蹴込み板２０は、図４（Ａ）（Ｂ）に示す形状に形成されている。図４（Ａ）に示すように、化粧蹴込み板２０は略長方形であり、上端２０Ａには面取り２０Ｂが形成されている。この面取り２０Ｂを含む上端部２２の幅が最大であり、化粧蹴込み板２０の上端部２２以外の両端には切り欠き２４が形成されている。また、化粧蹴込み板２０の天面（段鼻となる）は、粗面などに形成されることでノンスリップ仕様となっている。化粧蹴込み板２０のうち、取付部材３０の対向部３６と対面する２箇所の位置には、化粧表面２６よりも対向部３６の板厚分以上だけ低い段部２８が形成されている。これにより、段部２８の上に取付部材３０の対向部３６が配置されても、その対向部３６が化粧表面２６より突出することはない。
【００３１】
化粧蹴込み板２０の厚さＴは、図４（Ｂ）に示すように、上端２０Ａから下端２０Ｃに向かうに従い薄くなっている。
【００３２】
この化粧蹴込み板２０は、例えば型により大量生産可能なタイル材にて形成され、既存階段構造１０の踏面部１２とは異なる色を有している。
【００３３】
（施工方法）
上述した既存階段構造１０は、例えば駅構内の階段であり、化粧蹴込み板２０の取付施工は、乗客のいない深夜から早朝にかけて行われる。既存階段構造１０のうち、化粧蹴込み板２０が取り付けられる蹴込み部１４と、この蹴込み部１４の直下であって、目地材５０が取り付けられる一部の踏面部１２が清掃されることが好ましい。
【００３４】
第１工程として、既存階段構造１０の蹴込み部１４に、その幅方向にて所定間隔をおいて複数の取付部材３０が仮止めされる。
【００３５】
このために、先ず、蹴込み部１４に下孔４０がドリル等により穿孔される。蹴込み部１４が、図１に示すように垂直でなく傾斜している場合には、下孔４０はその傾斜表面に対して垂直に穿孔される。
【００３６】
次に、下孔４０にプラグ４２が埋め込まれる。この作業は、市販のアンカー用のボルト・プラグを利用して行うことができる。なお、下孔４０の穿孔工程とプラグ４２の埋め込み工程とを、前日までに完了しておいても良い。
【００３７】
その後、プラグ４２の埋め込み位置に孔３０を位置合わせして取付部材３０を配置し、ボルト４４をプラグ４２に螺合させて、取付部材３０を蹴込み部１４に仮止めする。仮止めの意味は、後に化粧蹴込み板２０を挿入できる程度の遊びをもって、取付部材３０を仮固定することである。
【００３８】
第２工程として、複数の取付部材３０を支持ガイドとして、複数の化粧蹴込み板２０を蹴込み部１４の表面側にて支持する。すなわち、図５に示すように、蹴込み部１４に仮止めされた取付部材３０の上方より、化粧蹴込み板２０を落とし込む。このとき、化粧蹴込み板２０の両端部は取付部材３０の対向部３６により案内されて所定の位置に位置決めされる。
【００３９】
ここで、図４（Ｂ）に示すように化粧蹴込み板２０の挿入先端となる下端２０Ｃの厚さＴは最小であり、挿入後端となる上端２０Ａの厚さが最大である。従って、化粧蹴込み板２０の落とし込み工程の初期の負荷抵抗は格段に小さく、落とし込み作業が円滑に行われる。なお、本実施形態では、図３（Ｂ）に示すように、取付部材３０の被固定部３２から対向部３６までの高さＨは、上端３０Ａから下端３０Ｃに向けて小さくなり、化粧蹴込み板２０の厚さと相似形となっている。よって、化粧蹴込み板２０の挿入が終了すると、この化粧蹴込み板２０は取付部材３０にフィットするように納まる。
【００４０】
なお、複数の取付部材３０の各々の被固定部３２と、蹴込み部１４との間に、複数の取付部材２０の各々を蹴込み部１４よりも前方に移動付勢するバネ材（図示省略）を配置する工程をさらに設けることができる。このバネ材は、例えばボルト４４の挿通孔を有して、無負荷時に例えばくの字状に屈曲した板バネとすることができる。このバネ材を用いると、複数の取付部材３０の仮止め状態では、複数の取付部材３０の各々がバネ材によって蹴込み部１４よりも前方に移動付勢され、化粧蹴込み板２０の挿入用の隙間を多く確保できるので、化粧蹴込み板２０の挿入作業を円滑に行うことができる。
【００４１】
この後の第３工程の前に、化粧蹴込み板２０の背面または蹴込み部１４の表面に接着剤を塗布する工程を完了させておくことができる。このために、化粧蹴込み板２０を配置する第２工程の開始前に、蹴込み部１４の表面に接着剤を塗布しておいても良い。それに代えて、あるいはそれに追加して、接着剤を塗布した化粧蹴込み板２０を取付部材３０に支持させても良い。あるいは、第２工程の終了後、取付部材３０に支持された化粧蹴込み板２０の背面と蹴込み部１４の表面との間に、接着剤を流し込んでも良い。
【００４２】
第３工程として、ボルト４４を締め付けて取付部材３０を本止めし、蹴込み部１４の表面と取付部材３０との間にて、化粧蹴込み板２０を挟み込んで固定する。本止めの意味は、仮止めよりも強固に取付部材３０をことであり、所定トルクにてボルト４４を締め付けることである。
【００４３】
この第３工程により、既存階段構造１０の施工は完了し、その直後から乗客の通行が可能となる。化粧蹴込み板２０は、接着剤の乾燥後は、取付部材３０の締結力と接着剤とによってより強固に固定されることになるが、仮に接着剤の乾燥前に乗客が階段を通行しても、取付部材３０の締結力のみによって化粧蹴込み板２０が離脱されることを防止できるからである。
【００４４】
最後に、仕上げとして、蹴込み部１４の直下の踏面部１２上と、複数の化粧蹴込み板２０の下端２０Ｃとの間に、例えば樹脂モルタル等にて目地材５０を配置する。なお、柔軟性を有する保形性の目地材であれば、化粧蹴込み板２０の取付以前に、その目地材を配置しておいても良い。
【００４５】
本実施形態の施工方法は、既存階段構造１０への加工は、蹴込み部１４へ下孔の穿孔作業のみであるから、従来のように踏面部１２及び蹴込み部１４の双方の一部分を削り落とすものと比較して、作業が簡易化され工期も格段に短くなる。また、下孔加工（加えてプラグ取付加工）だけ前日以前に行っておいても、階段機能は損なわれないので、分割作業が可能となる。よって、比較的少ない人手でも乗客のいない時間を利用して駅構内の階段を改造することができる。
【００４６】
施工後の階段は、既存の踏面部１２とは異色の化粧蹴込み部２０を備え、化粧蹴込み部２０の上端２０Ａが異色の段鼻として機能することから、ハートビル法に基づく階段の判断基準に合致し、高齢者などが安全に通行できるものとなる。
【００４７】
また、複数の化粧蹴込み板２０は、上端部２２同士が密接しているので、隣合う化粧蹴込み板２０間に隙間は無く、通行上の支障は一切生じない。さらに、取付部材３０は、化粧蹴込み板２０の化粧表面２６より突出せずに面一もしくは埋没しているので、この点でも通行上の支障は一切生じない。
【００４８】
なお、本発明は上述した実施形態に限定されるものではなく、本発明の要旨の範囲内で種々の変形実施が可能である。上述の実施形態は駅構内の既存階段構造１０に適用したものであったが、特にハートビル法に基づく判断基準が適用され得る全ての階段構造に適用可能である。
【００４９】
図１では、化粧蹴込み板２０の化粧表面２６と、取付部材２０の対向部３６の表面とが面一の例を示したが、対向部３６の表面が化粧表面２６よりも低い場合には、図６に示すように、目隠し板６０を設けることができる。この目隠し板６０は、取付部材３０を目隠しするもので、取付部材３０の配置領域に例えば接着固定される。目隠し部材６０の少なくとも表面は、好ましくは化粧蹴込み板２０と同種の材料とすると良いが、異種材料であっても良い。
【００５０】
図６の構造に用いられる取付部材３０は、図１の構造に用いられるものと比較して、図３（Ｂ）に示す高さＨを低くできるので、取付部材３０の曲げ加工は容易となる。
【００５１】
なお、取付部材３０の高さＨは、必ずしも上端３０Ａから下端３０Ｃに向かうに従い低くなるものに限らず、化粧蹴込み板２０の最大厚さに合わせて同一高さに形成しても良い。この場合、化粧蹴込み板２０と取付部材３０との間に隙間が生じるので、スペーサを配置したり、あるいは被固定部３２に突起を形成して、その隙間を埋めるようにすることができる。こうすれば、取付部材３０の加工はより簡単になる。
【００５２】
上述の実施形態では、階段の幅方向の隅部の説明を省略したが、隅部については、例えば図７に示すように施工することができる。図７は、既存階段構造１０の一方の側壁７０付近の平面図である。隅部用の化粧蹴込み板８０は、一般の化粧蹴込み板２０とは異なる型によって別途に成形しても良いが、一般の化粧蹴込み板２０の端部を切断して所定の長さに加工しても良い。そして、隅部用化粧蹴込み板８０の切断端部の側面には、例えばスリット８２が加工形成される。
【００５３】
隅部用取付部材９０は、横断面がクランク形状であり、一方の垂直片が被固定部９２とされて、蹴込み部１４に埋め込まれたプラグ４２と、ボルト４４とで蹴込み部１４に固定される。隅部用取付部材９０の他方の垂直片が係止部９４で、隅部用化粧蹴込み板８０のスリット８２に挿入される。
【００５４】
側壁７０と隅部用化粧蹴込み板８０との間の隙間１００は、排水溝として利用できる。なお、隅部用取付部材９０を図示しない目隠し板により目隠しすることもできる。この時、目隠し板が隅部用化粧蹴込み板８０の化粧表面２６よりも突出させないようにすれば、それにより確保される凹所を排水溝として確保することができる。
【００５５】
＜第２の実施形態＞
図８〜図１１（Ａ）（Ｂ）は、化粧蹴込み板２００と取付部材２１０とを用いた本発明の第２の実施形態を示しており、第１の実施形態と異なる点は以下の通りである。
【００５６】
（取付部材）
取付部材２１０は、図１０（Ａ）（Ｂ）に示すように、ボルト孔２１２Ａを有する被固定部２１２、連結部２１４及び２つのの対向部２１６とを一体的に備える点で、第１の実施形態と同じである。被固定部２１２から対向部２１６までの高さｈは、上端２１０Ａから下端２１０Ｂに向かうに従い低くなる点も第１の実施形態と同じであるが、第２の実施形態の高さｈ＜第１の実施形態の高さＨとなっている。
【００５７】
（化粧蹴込み板）
図１１（Ａ）（Ｂ）に示す化粧蹴込み板２００が、第１の実施形態（図４（Ａ）（Ｂ）参照）と相違する第１点は、第１の実施形態の段部２８に相当するものが設けられていない点である。第２点は、化粧蹴込み板２００の板厚Ｔは、上端２００Ａから下端２００Ｃに亘って均一である点である。第３点は、第２の実施形態の化粧蹴込み板２００の両側面（上端部２０２の側面は除く）には、それぞれスリット２０８が形成されている点である。化粧蹴込み板２０の背面からスリット２０８に至る厚さｔは、図１１（Ｂ）に示すように、上端２００Ａから下端２００Ｃに向かうに従い薄くなっている。なお、化粧蹴込み板２００の上端２００Ａ側には面取り２００Ｂが形成され、上端部２０２の下方の両側壁には切り欠き２０４が形成されている点は、第１の実施形態と共通している。また、第２の実施形態の化粧蹴込み板２００もまた、例えば型により大量生産可能なタイル材にて形成され、既存階段構造１０の踏面部１２とは異なる色を有している。
【００５８】
（施工方法）
施工方法としては、上述した化粧蹴込み板２００及び取付部材２１０の形状変更が施工方法に影響を与える第２工程のみが第１の実施形態と異なり、他の点は第１の実施形態と同じであり、第１の実施形態についての変形例も、第２の実施形態に適用可能である。
【００５９】
取付部材２１０の仮止め工程である第１工程の実施後の第２工程は、化粧蹴込み板２００の取付工程である。この第２工程は、仮止めされた取付部材２１０の２つの対向部２１６を、化粧仮込み板２００のスリット２０８に挿通するようにして、化粧蹴込み板２００をその下端２００Ｃ側から取付部材２１０内に落とし込むことで実施される。このとき、第１の実施形態と同様にして、化粧蹴込み板２００の寸法ｔと取付部材２１０の寸法ｈとの関係から、化粧蹴込み板２００の初期負荷抵抗を少なくして取付作業を行うことができる。
【００６０】
第３工程は、取付部材２１０の本止め工程であり、ボルト４４を締結することで、取付部材２１０と蹴込み部１４との間で化粧蹴込み板２００は強固に支持される。また、この取付部材２１０は、化粧蹴込み板２００と蹴込み部１４との間に接着剤が塗布された場合には、それが乾燥するまでの間であっても、階段の通行を可能とする。
【００６１】
このように、第２の実施形態においても、第１の実施形態の作用・効果を奏することができることに加えて、化粧蹴込み板２００の板厚Ｔが一定となり、取付部材２１０の高さｈが低くなることから、化粧蹴込み板２００と取付部材２１０の加工は第１の実施形態よりも簡便となる。なお、この第２の実施形態においても、図６と同様にして、化粧蹴込み板２００の化粧表面２０６よりも埋没している取付部材２１０を、目隠し部材により覆っても良い。
【図面の簡単な説明】
【図１】本発明の第１の実施形態に係る階段構造の横断面図である。
【図２】図１に示す階段構造の正面図である。
【図３】図３（Ａ）は図１の階段構造に用いられる取付部材の正面図、図３（Ｂ）はその取付部材の右側面図である。
【図４】図４（Ａ）は図１の階段構造に用いられる化粧蹴込み板の正面図、図４（Ｂ）はその化粧蹴込み板の右側面図である。
【図５】図１の階段構造を施工するための化粧蹴込み板の取り付け工程を示す概略説明図である。
【図６】取付部材を目隠し板にて被覆した変形例を示す階段の一段部の正面図である。
【図７】階段の隅部の施工の一例を示す一部を切欠した平面図である。
【図８】本発明の第２の実施形態に係る階段構造の横断面図である。
【図９】図８に示す階段構造の正面図である。
【図１０】図１０（Ａ）は図８の階段構造に用いられる取付部材の正面図、図１０（Ｂ）はその取付部材の右側面図である。
【図１１】図１１（Ａ）は図８の階段構造に用いられる化粧蹴込み板の正面図、図１１（Ｂ）はその化粧蹴込み板の右側面図である。
【符号の説明】
１０  既存階段構造、１２  踏面部、１４  蹴込み部、２０，２００  化粧蹴込み板、２０Ａ，２００Ａ  上端、２０Ｂ，２００Ｂ  面取り、２０Ｃ，２００Ｃ下端、２１  天面、２２，２０２  上端部、２４  切り欠き、２６，２０６  化粧表面、２８  段部、３０，２１０  取付部材、３０Ａ，２１０Ａ  上端、３０Ｂ，２１０Ｂ  下端、３２，２１２  被固定部、３４，２１４  連結部、３６，２１６  対向部、４０  下孔、４２  プラグ、４４  ボルト、５０  シール部材、６０  目隠し板、７０  側壁、８０  隅部用化粧蹴込み板、８２  スリット、９０  隅部用取付部材、１００  排水溝，２１８  スリット
【図１】
2004225239.tif 000003
【図２】
2004225239.tif 000004
【図３】
2004225239.tif 000005
【図４】
2004225239.tif 000006
【図５】
2004225239.tif 000007
【図６】
2004225239.tif 000008
【図７】
2004225239.tif 000009
【図８】
2004225239.tif 000010
【図９】
2004225239.tif 000011
【図１０】
2004225239.tif 000012
【図１１】
2004225239.tif 000013